【手続補正書】
【提出日】平成30年9月28日(2018.9.28)
【手続補正１】
【補正対象書類名】明細書
【補正対象項目名】０１１５
【補正方法】変更
【補正の内容】
【０１１５】
本明細書に引用される特許、特許文献、及び刊行物の完全な開示内容は、それぞれが個々に組み込まれたのと同様に、それら全体が参照により援用される。本発明の範囲及び趣旨を逸脱することなく、本発明の様々な修正及び改変が当業者には明らかとなるであろう。本発明は、本明細書に記載された例示的な実施形態及び実施例によって過度に限定されることを意図するものではなく、そのような実施例及び実施形態は、例としてのみ提示されるものであり、本発明の範囲は、以下のように本明細書に記載される、請求項によってのみ限定されることを意図するものである点を理解されたい。
以下、本発明の具体的態様について説明する。
〔態様１〕
金属を含む外面と、
前記外面に設けられた、加工された複数の特徴部とを含み、
前記複数の特徴部を含む表面は、１４以下の合計ＣＩＥクロマ、及び散漫散乱試験により測定したときに、０°の入射角かつ７０°の視野角において少なくとも２０の最小Ｌ＊値を呈する、歯科矯正装置。
〔態様２〕
前記加工された特徴部は、前記外面に複数の凹部を含む、態様１に記載の歯科矯正装置。
〔態様３〕
前記複数の凹部の平均深さが、少なくとも０．５マイクロメートルであり、かつ２０マイクロメートル以下である、態様２に記載の歯科矯正装置。
〔態様４〕
隣接する凹部の間のピッチが、少なくとも１５マイクロメートルであり、かつ６０マイクロメートル以下である、態様２に記載の歯科矯正装置。
〔態様５〕
前記凹部は、横方向軸及び長手方向軸を有するアレイとして配列され、前記横方向軸に沿った前記隣接する凹部の間のピッチは、前記長手方向軸に沿った隣接する凹部の間のピッチよりも大きい、態様４に記載の歯科矯正装置。
〔態様６〕
前記断面寸法は直径を含み、前記直径は少なくとも２５マイクロメートルであり、かつ３５マイクロメートル以下であり、前記ピッチは少なくとも２５マイクロメートルであり、かつ３５マイクロメートル以下である、態様５に記載の歯科矯正装置。
〔態様７〕
前記複数の凹部は規則的なアレイとして配列され、前記表面は、アレイ内のいずれか２つの凹部の間の隙間空間を含み、かつ前記凹部の間の隙間空間は、１つ以上の突出特徴部を含む、態様２に記載の歯科矯正装置。
〔態様８〕
少なくとも１つの凹部が、前記凹部の底面に突出特徴部を含む、態様２に記載の歯科矯正装置。
〔態様９〕
前記装置がアーチワイヤである、態様１〜８のいずれか一項に記載の歯科矯正装置。
〔態様１０〕
前記表面は、いずれの美観用コーティングなしに、少なくとも０．４の拡散Ｌ＊最小７０／最大１５比率を呈する、態様１〜９のいずれか一項に記載の歯科矯正装置。
〔態様１１〕
金属を含む外面と、
前記表面内に画定された複数の凹部と、を含み、前記複数の凹部は前記表面から少なくとも０．５マイクロメートルの深さを有し、前記凹部の大部分が、境界領域において隣接する凹部と重複するように、前記凹部は重複するアレイとして配列されている、装置。
〔態様１２〕
前記複数の凹部のうちの、前記少なくとも１つの凹部は、少なくとも１つの他の凹部と共にユニットセルとして配列され、前記ユニットセル内の凹部の間のピッチは、少なくとも２０マイクロメートルであり、かつ５０マイクロメートル以下である、態様１１に記載の装置。
〔態様１３〕
前記重複する境界領域は、前記表面内の、一連の別個の突出特徴部を含む、態様１１に記載の装置。
〔態様１４〕
少なくとも１つの凹部が、約１０マイクロメートルの深さを含む、態様２〜１３のいずれか一項に記載の装置。
〔態様１５〕
物品の審美的外観を改善する方法であって、
外面を有し、前記外面が金属を含む物品を準備することと、
散漫散乱試験により測定したときに、前記表面が、少なくとも０．２の拡散Ｌ＊最小７０／最大１５比率を呈するように、前記表面の少なくとも一部をアブレーションして前記表面上に複数の特徴部を形成することと、を含む、方法。
〔態様１６〕
前記複数の特徴部が前記表面内に複数の凹部を含む、態様１５に記載の方法。
〔態様１７〕
前記凹部の少なくともいくつかが重複して、突出特徴部を形成する、態様１６に記載の方法。
〔態様１８〕
前記表面の少なくとも一部をアブレーションすることは、凹部の第１パターンを形成することを含み、前記第１パターンは、前記アレイの隣接する凹部の間に、少なくとも１０マイクロメートルであり、かつ１００マイクロメートル以下のピッチを有する、態様１５〜１７のいずれか一項に記載の方法。
〔態様１９〕
前記凹部は、横方向軸及び長手方向軸を有するアレイとして配列され、前記横方向軸に沿った前記隣接する凹部の間のピッチは、前記長手方向軸に沿った隣接する凹部の間のピッチよりも大きい、態様１８に記載の方法。
〔態様２０〕
前記表面の一部をアブレーションすることは、第２パターンに従って一連の凹部を形成することを更に含み、前記第２パターンは、前記第１パターンと実質的に同様である、態様１５〜１９のいずれか一項に記載の方法。
〔態様２１〕
前記特徴部は、別個の凹部を含み、各別個の凹部は凹レンズ状の構造を含み、前記凹部は、前記レンズの頂部付近に別個の突出特徴部を含む、態様１５に記載の方法。
〔態様２２〕
前記表面をアブレーションすることは、
前記表面の少なくとも一部にわたり、第１アレイとして、特徴部の第１パターンを形成することと、
前記第１パターンの少なくとも２つの凹部の形状寸法が変更されるように、前記第１パターンの一部を分断することと、を含む、態様１５〜２１のいずれか一項に記載の方法。
〔態様２３〕
前記第１パターンの一部を分断することは、第２アレイに特徴部の第２パターンを形成することを含み、前記特徴部の第２パターンは、前記第１パターンからオフセットされ、前記第２アレイの前記特徴部が、前記第１アレイの特徴部と少なくとも部分的に重複する、態様２２に記載の方法。
〔態様２４〕
前記表面は、散漫散乱試験により測定したときに、少なくとも０．２の拡散Ｌ＊最小７０／最大１５比率、及び０°の入射角かつ７０°の視野角において少なくとも２０の最小Ｌ＊値を呈し、前記表面は、いずれの美観用金属又はポリマーコーティングもなしに、前記拡散Ｌ＊最小７０／最大１５比率を呈する、態様１５〜２３のいずれか一項に記載の方法。
〔態様２５〕
前記表面は、１４以下の合計ＣＩＥクロマ、及び前記散漫散乱試験により測定したときに、０°の入射角かつ７０°の視野角において少なくとも２０の最小Ｌ＊値を呈する、態様１５〜２４のいずれか一項に記載の方法。
〔態様２６〕
金属を含む外面と、前記外面に電気めっきした金属コーティングと、を備え、前記表面は、１４以下の合計ＣＩＥクロマ、及び散漫散乱試験により測定したときに、０°の入射角かつ７０°の視野角において少なくとも２０の最小Ｌ＊値を呈する、歯科矯正装置。
〔態様２７〕
前記装置は歯科矯正アーチワイヤである、態様２６に記載の歯科矯正用装置。
〔態様２８〕
前記電気めっきした金属コーティングは、アルミニウム及びロジウムのうちの少なくとも一方を含む、態様２６又は２７に記載の歯科矯正装置。
〔態様２９〕
前記表面は、複数の設計された凹部を含み、前記電気めっきした金属コーティングは、前記複数の凹部上に配置される、態様２６〜２８の歯科矯正装置。
〔態様３０〕
前記複数の凹部のうちの、前記少なくとも１つの凹部は、少なくとも２つの他の凹部とのユニットセルとして配列され、前記ユニットセル内の前記凹部の間のピッチは、少なくとも２０マイクロメートル、かつ５０マイクロメートル以下である、態様２９に記載の装置。
【手続補正２】
【補正対象書類名】特許請求の範囲
【補正対象項目名】全文
【補正方法】変更
【補正の内容】
【特許請求の範囲】
【請求項１】
金属を含む外面と、
前記外面に設けられた、加工された複数の特徴部とを含み、
前記複数の特徴部を含む表面は、１４以下の合計ＣＩＥクロマ、及び散漫散乱試験により測定したときに、０°の入射角かつ７０°の視野角において少なくとも２０の最小Ｌ＊値を呈する、歯科矯正装置。
【請求項２】
前記加工された特徴部は、前記外面に複数の凹部を含む、請求項１に記載の歯科矯正装置。
【請求項３】
前記複数の凹部の平均深さが、少なくとも０．５マイクロメートルであり、かつ２０マイクロメートル以下である、請求項２に記載の歯科矯正装置。
【請求項４】
隣接する凹部の間のピッチが、少なくとも１５マイクロメートルであり、かつ６０マイクロメートル以下である、請求項２に記載の歯科矯正装置。
【請求項５】
前記凹部は、横方向軸及び長手方向軸を有するアレイとして配列され、前記横方向軸に沿った前記隣接する凹部の間のピッチは、前記長手方向軸に沿った隣接する凹部の間のピッチよりも大きい、請求項４に記載の歯科矯正装置。
【請求項６】
前記断面寸法は直径を含み、前記直径は少なくとも２５マイクロメートルであり、かつ３５マイクロメートル以下であり、前記ピッチは少なくとも２５マイクロメートルであり、かつ３５マイクロメートル以下である、請求項５に記載の歯科矯正装置。
【請求項７】
前記複数の凹部は規則的なアレイとして配列され、前記表面は、アレイ内のいずれか２つの凹部の間の隙間空間を含み、かつ前記凹部の間の隙間空間は、１つ以上の突出特徴部を含む、請求項２に記載の歯科矯正装置。
【請求項８】
少なくとも１つの凹部が、前記凹部の底面に突出特徴部を含む、請求項２に記載の歯科矯正装置。
【請求項９】
前記装置がアーチワイヤである、請求項１に記載の歯科矯正装置。
【請求項１０】
前記表面は、いずれの美観用コーティングなしに、少なくとも０．４の拡散Ｌ＊最小７０／最大１５比率を呈する、請求項１に記載の歯科矯正装置。
【請求項１１】
少なくとも１つの凹部は、深さ約１０マイクロメートルである、請求項２に記載の歯科矯正装置。
【請求項１２】
金属を含む外面と、
前記表面内に画定された複数の凹部と、を含み、前記複数の凹部は前記表面から少なくとも０．５マイクロメートルの深さを有し、前記凹部の大部分が、境界領域において隣接する凹部と重複するように、前記凹部は重複するアレイとして配列されており、
前記複数の凹部のうちの、前記少なくとも１つの凹部は、少なくとも１つの他の凹部と共にユニットセルとして配列され、前記ユニットセル内の凹部の間のピッチは、少なくとも２０マイクロメートルであり、かつ５０マイクロメートル以下であり、
前記重複する境界領域は、前記表面内の、一連の別個の突出特徴部を含む、装置。
【請求項１３】
少なくとも１つの凹部が、約１０マイクロメートルの深さを含む、請求項１２に記載の装置。
【請求項１４】
金属を含む外面と、前記外面に電気めっきした金属コーティングと、を備え、前記表面は、１４以下の合計ＣＩＥクロマ、及び散漫散乱試験により測定したときに、０°の入射角かつ７０°の視野角において少なくとも２０の最小Ｌ＊値を呈する、歯科矯正装置。
【請求項１５】
前記装置は歯科矯正アーチワイヤである、請求項１４に記載の歯科矯正用装置。
【請求項１６】
前記電気めっきした金属コーティングは、アルミニウム及びロジウムのうちの少なくとも一方を含む、請求項１４又は１５に記載の歯科矯正装置。
【請求項１７】
前記表面は、複数の設計された凹部を含み、前記電気めっきした金属コーティングは、前記複数の凹部上に配置される、請求項１４に記載の歯科矯正装置。
【請求項１８】
前記複数の凹部のうちの、前記少なくとも１つの凹部は、少なくとも２つの他の凹部とのユニットセルとして配列され、前記ユニットセル内の前記凹部の間のピッチは、少なくとも２０マイクロメートル、かつ５０マイクロメートル以下である、請求項１７に記載の装置。